(57)【要約】      （修正有）【課題】透明感のある視認品質を確保すると共に、デザイン性に優れ取り扱い容易なディスプレイケースを提供する。【解決手段】台座に透明なカバーを組み立てるディスプレイケースであって、カバー１０の側壁となるＬ字型形状に成形された板状の第１側板１及び第２側板２と、台座４に設けられ、幅が第１側板１と第２側板２の厚さに対して、固定及び分解可能としてはめ合うように設定された台座溝４−１と、四角柱状に組み立てられた第１側板１と第２側板２の上に上壁として組み立てられる上蓋３と、を備える。【選択図】図１
0003226085.tif 000002
【実用新案登録請求の範囲】
【請求項１】
台座に透明なカバーを組み立てるディスプレイケースにおいて、
前記カバーの側壁となるＬ字型形状に成形された板状の第１側板及び第２側板と、
前記台座に設けられ、幅が前記第１側板と前記第２側板の厚さに対して、固定及び分解可能としてはめ合うように設定された台座溝と、
四角柱状に組み立てられた前記第１側板と前記第２側板の上に上壁として組み立てられる上蓋と、
を備えたディスプレイケース。
【請求項２】
前記第１側板と前期第２側板とは、同一形状とされたことを特徴とする請求項１に記載のディスプレイケース。
【請求項３】
前記第１側板と前期第２側板は、組み合わせて四角柱状とされたことを特徴とする請求項１又は２に記載のディスプレイケース。
【請求項４】
前記上蓋は、四角柱状に組み立てられた第１側板と第２側板の上から覆うように組み立てられたことを特徴とする請求項１から３のいずれか１項に記載のディスプレイケース。
【請求項５】
前記上蓋の内面に高さ方向の溝が設けられ、前記溝の深さが前記上蓋の全体厚さの１/３、前記上蓋の肉厚と同程度の寸法とされ、
前記第１側板及び前記第２側板は、前記溝と適合するように突起が設けられたことを特徴とする請求項１から４のいずれか１項に記載のディスプレイケース。
【請求項６】
前記突起に代えて、前記第１側板及び前記第２側板の上部に段差が設けられたことを特徴とする請求項５に記載のディスプレイケース。
【請求項７】
前記上蓋は、平坦な板とされたことを特徴とする請求項６に記載のディスプレイケース。
【請求項８】
前記上蓋の厚さは、前記段差より大きくされたことを特徴とする請求項６又は７に記載のディスプレイケース。
【請求項９】
前記第１側板及び前記第２側板の角部に丸味を設けたことを特徴とする請求項６から８のいずれか１項に記載のディスプレイケース。
【請求項１０】
前記第１側板と前記第２側板の端面に、上から見て段違いとなる薄肉部が設けられたことを特徴とする請求項１から８のいずれか１項に記載のディスプレイケース。
【請求項１１】
前記第１側板の内面と前記第２側板の前記薄肉部とは隙間を設けたことを特徴とする請求項１０に記載のディスプレイケース。
【請求項１２】
前記第１側板、前記第２側板、前記上蓋の材質は、スチレンのみの重合体で非晶性の汎用ポリスチレンＧＰＰＳを用いたことを特徴とする請求項１から１１のいずれか１項に記載のディスプレイケース。
【請求項１３】
前記台座の材質は、ＡＢＳ樹脂又はＡＳ樹脂を用いたことを特徴とする請求項１から１２のいずれか１項に記載のディスプレイケース。
【請求項１４】
幅に比べて高さが大きい縦型のディスプレイケースとされたことを特徴とする請求項１から１３のいずれか１項に記載のディスプレイケース。
【請求項１５】
前記第１側板、前記第２側板、前記上蓋は、微小突起群を表面に有する反射防止層を形成した反射防止フィルムが貼り合わせられたことを特徴とする請求項１から１４のいずれか１項に記載のディスプレイケース。
【請求項１６】
前記幅は１４０〜１８０ｍｍ、前記高さは２２０〜２８０ｍｍ、前記第１側板、前記第２側板、前記上蓋の前記厚さは２〜３ｍｍとされたことを特徴とする請求項１から１５のいずれか１項に記載のディスプレイケース。
【考案の詳細な説明】
【技術分野】
【０００１】
本考案は、模型などを入れて展示するためのディスプレイケースに関する。
【背景技術】
【０００２】
従来の鑑賞用ディスプレイケースは、方形等の台座に透明な中空箱形のカバーを差し込んで組み立てるものが知られている。そして、カバーの形状は金型を用いた射出成形加工により製造される。特許文献１は、模型などを収納して展示するディスプレイケースとして、ベース部に一体成形された透視用カバーを用いることが記載されている。
【０００３】
また、特許文献２は、板材からなるカバーを各辺で台座へはめ込む方式で組み立てられるディスプレイケースが記載されている。
【先行技術文献】
【特許文献】
【０００４】
【特許文献１】特開２００６−６１１８６号公報
【特許文献２】特開２０１８−１１４０９４号公報
【考案の概要】
【考案が解決しようとする課題】
【０００５】
従来、特許文献１に記載のようにカバーを一体成形するものは、金型製作のコストが掛かり、低価格にするためには、金型コスト回収のために生産ロットを大きくする必要があった。特に、幅や奥行きに比べて高さが大きい縦型のディスプレイケースは、各辺が直角となるように成形することが困難であった。成形の困難さは、成形時の歪みとなる。そして、展示品の視認品質が劣化するばかりでなく、美観及びデザイン的な観点からも好ましいとは言い難かった。
【０００６】
また、特許文献２に記載のものは、部品点数が多く、コスト高となる。そして、特に、縦型のディスプレイケースでは組み立てが簡便でない。そして、展示物となる人形や造形物であるフィギア、模型、花などを頻繁に入れ替えることが困難であった。
【０００７】
本考案の目的は、上記従来技術の課題を解決し、「くすみ」や「歪み」の無いツヤと透明感のある視認品質を確保すると共に、デザイン性に優れ取り扱い容易なディスプレイケースを低コストで提供することにある。
【課題を解決するための手段】
【０００８】
上記課題を解決するため、本考案は、台座に透明なカバーを組み立てるディスプレイケースにおいて、前記カバーの側壁となるＬ字型形状に成形された板状の第１側板及び第２側板と、前記台座に設けられ、幅が前記第１側板と前記第２側板の厚さに対して、固定及び分解可能としてはめ合うように設定された台座溝と、四角柱状に組み立てられた前記第１側板と前記第２側板の上に上壁として組み立てられる上蓋と、を備えたものである。
【０００９】
また、前記第１側板と第２側板とは、同一形状とされたことが望ましい。
【００１０】
さらに、前記第１側板と第２側板は、組み合わせて四角柱状とされたことが望ましい。
【００１１】
さらに、前記上蓋は、四角柱状に組み立てられた第１側板と第２側板の上から覆うように組み立てられたことが望ましい。
【００１２】
さらに、前記上蓋の内面に高さ方向の溝が設けられ、前記溝の深さが前記上蓋の全体厚さの１/３、前記上蓋の肉厚と同程度の寸法とされ、前記第１側板及び第２側板は、前記溝と適合するように突起が設けられたことが望ましい。
【００１３】
また、前記突起に代えて、前記第１側板及び第２側板の上部に段差が設けられたことが望ましい。
【００１４】
さらに、前記上蓋は、平坦な板とされたことが望ましい。
【００１５】
さらに、前記上蓋の厚さは、前記段差より大きくされたことが望ましい。
【００１６】
さらに、前記第１側板及び第２側板の角部に丸味を設けたことが望ましい。
【００１７】
さらに、前記第１側板と前記第２側板の端面に、上から見て段違いとなる薄肉部が設けられたことが望ましい。
【００１８】
さらに、前記第１側板の内面と前記第２側板の薄肉部とは隙間を設けたことが望ましい。
【００１９】
さらに、前記第１側板、前記第２側板、前記上蓋の材質は、スチレンのみの重合体で非晶性の汎用ポリスチレンＧＰＰＳを用いたことが望ましい。
【００２０】
さらに、前記台座の材質は、ＡＢＳ樹脂又はＡＳ樹脂を用いたことが望ましい。
【００２１】
さらに、幅に比べて高さが大きい縦型のディスプレイケースとされたことが望ましい。
【００２２】
さらに、前記第１側板、前記第２側板、前記上蓋は、微小突起群を表面に有する反射防止層を形成した反射防止フィルムが貼り合わせられたことが望ましい。
【００２３】
さらに、前記幅は１４０〜１８０ｍｍ、前記高さは２２０〜２８０ｍｍ、前記第１側板、前記第２側板、前記上蓋の前記厚さは２〜３ｍｍとされたことが望ましい。
【考案の効果】
【００２４】
本考案によれば、台座に透明なカバーを組み立てるディスプレイケースにおいて、カバーの側壁は、Ｌ字型形状に成形された板状の第１側板と第２側板とで構成されるので、「くすみ」や「歪み」の無いツヤと透明感のある良好な視認品質を確保できる。そして、取り扱い容易なディスプレイケースを低コストで得ることができる。
【図面の簡単な説明】
【００２５】
【図１】本考案の一実施形態に係るディスプレイケースの分解及び組み立てを示す分解斜視図である。
【図２】一実施形態に係るディスプレイケースの部分断面図である。
【図３】一実施形態に係るディスプレイケースの組み立て斜視図である。
【図４】本考案の他の実施形態によるディスプレイケースの分解及び組み立てを示す分解斜視図である。
【図５】他の実施形態によるディスプレイケースの組み立て斜視図である。
【図６】本考案のさらに他の実施形態によるディスプレイケースの分解及び組み立てを示す分解斜視図である。
【図７】図６に示した実施形態の部分拡大図である。
【図８】従来技術によるディスプレイケースの組み立て図である。
【考案を実施するための形態】
【００２６】
以下、本考案の実施形態について図面を参照して詳細に説明する。図１は、第一実施形態によるディスプレイケースの分解及び組み立てを示す分解斜視図、図２は部分断面図、図３は組み立て斜視図である。図８は、比較して説明する従来技術による組み立て図であり、縦型のディスプレイケースを示している。
【００２７】
図８のディスプレイケースにおいて、カバー１００は、立体的な箱形形状で一体成形され、その形状は金型を用いた射出成形加工により製造される。そのため、カバー１００は、金型を用いた射出成形加工により製造される。したがって、金型から成形品であるカバー１００をスムーズに離型させるためには、抜き勾配（図中のｄ）が必要となる。
【００２８】
抜き勾配ｄは、成形品が離型する方向（金型が開く方向）に傾斜をつけることであり、カバー１００の抜き勾配ｄの角度は、一般的には２°以上が必要とされる。特に、縦型のディスプレイケースは、幅や奥行きに比べて高さが大きいので、高さ方向の抜き勾配ｄの角度を大きくしなければならず、つまり、底面から各側壁を直角とすることが困難であった。
【００２９】
また、カバー１００は、ディスプレイケースの中に展示物を入れてから台座１０４へ矢印Ｐに示すように台座溝１０４−１に差し込んで組み立てる。このため、図８のディスプレイケースは、抜き勾配ｄの角度によって透視用のカバー１００と台座１０４との間に隙間が発生する恐れが高かった。上記のことから、図８のディスプレイケースは、展示品の視認品質、デザイン的な観点からディスプレイケースとして重要な美観を確保することが困難であった。
【００３０】
さらに、従来のカバー１００は、長期使用によっても透明性の品質を保つため、アクリル樹脂、ポリカーボネート樹脂、ＰＥＴ樹脂が多く使用されていた。しかし、これらの樹脂は、成形性が悪く、高級感や透明感を高めるためには、透明板材として接着剤によって接着したり、加熱による折り曲げ加工をしたり、カバー１００を制作するものであった。
【００３１】
しかし、接着剤を用いて接着したり、折り曲げによって加工したり、するものは、熟練した技術が必要であり、人為的ミスによる接着不良や曲げ不良を完全に排除することはできず、歩留まりが悪く、コスト上昇要因となっていた。
【００３２】
図１で示す第一実施形態は、幅や奥行きに比べて高さが大きい縦型のディスプレイケースである。そして、図８の従来技術によるディスプレイケースと異なり、透視用のカバー１０は、第１側板１、第２側板２、上蓋３とに分けられて、それぞれ薄肉の板状に成形される。第１側板１と第２側板２は、板状の面が直交するＬ字型形状であり、同一形状とすることが、低コスト化、精度向上などの点で望ましい。もちろん、第１側板１と第２側板２は、一部を適宜に異なるようにしても良い。上蓋３は、板状又は薄型の箱状に成形されている。
【００３３】
また、金型から成形品である第１側板１、第２側板２を離型する方向は、図８のディスプレイケースと異なり、高さ方向とする必要がない。したがって、高さ方向は、抜き勾配ｄを設けることなく、底面から各側壁を直角とすることが容易となる。これにより、展示品の視認品質、デザイン的な観点からの美観を損なうことがない。
【００３４】
図１のディスプレイケースは、カバー１０の側壁となる第１側板１と第２側板２を先に組み合わせる。組み合わせは、第２側板２の端面２−２を第１側板１の内面１−３へ矢印Ａに示すように突き合わせ、同様に第１側板１の端面１−２を第２側板２の内面２−３へ突き合わせる。
【００３５】
次に、カバー１０の組み立ては、組み合わせて四角柱状となった第１側板１、第２側板２をカバー１０の底面となる方形の台座４へ矢印Ｂに示すように台座溝４−１に差し込んで行う。台座溝４−１は、四角柱状となった第１側板１、第２側板２と適合するように方形となっている。そして、台座溝４−１の幅は、第１側板１と第２側板２の厚さに対して、固定及び分解可能としてはめ合うように設定されている。
【００３６】
もちろん、組み立ては、第１側板１を台座溝４−１へ差し込み、次いで、第２側板２を台座溝４−１へ差し込んでも良い。このときは、第１側板１、第２側板２を台座溝４−１に差し込むのと同時に、第２側板２の端面２−２及び第１側板１の端面１−２を第２側板２への突き合わせを行う。
【００３７】
上蓋３は、四角柱状に組み立てられた第１側板１と第２側板２の上から矢印Ｃに示すように覆うように被せる。そして、上蓋３は、図３に示すように第１側板１と第２側板２に対してカバー１０の上壁として組み立てられる。図２は、上蓋３と第１側板１、第２側板２との組み立て状態を示す部分断面図であり、上蓋３の内面１−３の高さ方向に溝３−１が設けられている。
【００３８】
溝３−１の深さＳは、上蓋３の全体厚さｈ１の１/３程度、上蓋３の肉厚ｈ２と同程度の寸法とすることが組み立ての容易性及び美観上から望ましい。また、第１側板１は、溝３−１と適合するように突起１−１が、同様に第２側板２は、突起２−１が設けられている。したがって、第一実施形態は、上蓋３の上部が第１側板１、第２側板２に対して上へ出ていることになり、組み立て後、上蓋３を手で取り外すことが容易となる。
【００３９】
図３において、ディスプレイケースの幅Ｗ２は１４０〜１８０ｍｍ、奥行きＤ２は１４０〜１８０ｍｍ、高さＨは２２０〜２８０ｍｍであり、第１側板１、第２側板２の厚さは２〜３ｍｍ、上蓋３の肉厚ｈ２は２〜３ｍｍが望ましい。なお、台座４の幅Ｗ１はＷ２＋４〜６ｍｍ、奥行きＤ１はＤ２＋４〜６ｍｍが人形や造形物であるフィギア、模型、花などのディスプレイケースとして望ましい。
【００４０】
第１側板１、第２側板２、上蓋３の材質は、透明なアクリル樹脂、ポリカーボネート樹脂、ＰＥＴ樹脂などの合成樹脂で良いが、特に、透明度が高くスチレンのみの重合体で非晶性の汎用ポリスチレンＧＰＰＳを用いることが望ましい。これにより、第１側板１、第２側板２の形状は、厚みを薄く成形することができ、かつ剛性を高めることができるので、展示品の視認品質を向上できる。
【００４１】
さらに、第１側板１、第２側板２、上蓋３は、その表面に微小突起群を表面に有する反射防止層を形成した反射防止フィルムを貼り合わせても良い。これにより、外光の反射や映り込みを防止することができる。そして、色味のない光反射防止機能を持ち、かつディスプレイケースの視認品質を劣化させることを防ぐことができる。
【００４２】
また、第１側板１、第２側板２、上蓋３の材質は、照明が映り込んで鑑賞の妨げとならないように、さらには屋外の風景等が映り込んで鑑賞の妨げとならないように、薄膜多層処理等による反射防止フィルム、低反射アクリル板、を用いることでも良い。
【００４３】
台座４は、材質としてＡＢＳ樹脂又はＡＳ樹脂を用いる。ＡＢＳ樹脂又はＡＳ樹脂は、汎用ポリスチレンよりも剛性や耐衝撃性が強いので、第１側板１と第２側板２を台座溝４−１に差し込むときの荷重に耐えることができ、強固な結合が可能となる。
【００４４】
また、ＡＢＳ樹脂又はＡＳ樹脂は、外観が美しく、光沢にも優れ、印刷特性もよい材料なので、ディスプレイケースの中に入れる展示品ともバランスが良く、展示品の銘板、年月日などを印刷する上でも都合が良い。
【００４５】
図４は、第二実施形態によるディスプレイケースの分解及び組み立てを示す分解斜視図、図５は組み立て斜視図である。第一実施形態と同様に、第二実施形態の透視用のカバー１０は、第１側板１、第２側板２、上蓋３とに分けられて、それぞれ成形され、第１側板１、第２側板２は、同一形状とされている。もちろん、一部を適宜に異なるようにしても良く、高さ方向は抜き勾配ｄを設ける必要がない。ただし、第二実施形態は、第一実施形態の突起１−１及び２−２に代えて、第１側板１と第２側板２の上部に段差１−４、２−４が設けられている。
【００４６】
図４のディスプレイケースは、第１側板１、第２側板２を先に組み合わせる。組み合わせは、第１側板１の端面１−２を第２側板２の内面２−３へ矢印Ｅに示すように突き合わせ、同様に第２側板２の端面２−２を第１側板１の内面１−３へ突き合わせる。もちろん、組み立ての順序は逆でも良い。次に、組み合わせて四角柱状となった第１側板１、第２側板２は、台座４へ矢印Ｂに示すように台座溝４−１に差し込まれて結合される。
【００４７】
上蓋３は、四角柱状となった第１側板１、第２側板２の上から矢印Ｃに示すように段差１−４、２−４へ落とし込むことで図５のように組み立てられる。上蓋３は、段差１−４、２−４が設けられていることにより、図３で示した高さ方向の溝３−１が不要である。
【００４８】
したがって、平坦な板状で良く、コストが低減される。もちろん、上蓋３の厚さは、段差１−４、２−４のよりも大きくして、取り外せるようにしても良い。第二実施形態は、第１側板１の角部１−６及び第２側板２の角部１−６に比較的に大きな丸味を設けることができ、継ぎ目を目立たなくすることができる。
【００４９】
図５において、ディスプレイケースの幅、奥行き、高さ、第１側板１、第２側板２の厚さ、上蓋３の厚さ、台座４の幅、奥行きなどは、図３の第一実施形態と同様である。また、第１側板１、第２側板２、上蓋３の材質、台座４の材質も第一実施形態と同様が望ましい。
【００５０】
図６は、第三実施形態によるディスプレイケースの分解及び組み立てを示す分解斜視図である。図７は、部分拡大図であり、第１側板１、第２側板２の組み合わせ部を上から見た状態を示している。第一実施形態と同様に、第三実施形態の透視用のカバー１０は、第１側板１、第２側板２、上蓋３とに分けられて、それぞれ成形され、第１側板１、第２側板２は、同一形状とされている。
【００５１】
もちろん、一部を適宜に異なるようにしても良く、高さ方向は抜き勾配ｄを設ける必要がない。ただし、第三実施形態は、第１側板１と第２側板２の端面には、上から見て段違いとなる薄肉部１−５、薄肉部２−５が設けられている。また、同様の薄肉部１−５は、図４で図示はしていないが、第二実施形態にも設けても良い。
【００５２】
図６のディスプレイケースは、第１側板１、第２側板２を先に組み合わせる。組み合わせは、第２側板２の端面２−２を第１側板１の薄肉部１−５の内面１−３へ矢印Ａに示すように突き合わせる。図７は、第１側板１の薄肉部１−５、第２側板２の端面２−２との組み合わせた状態を示し、第１側板１の内面１−３と第２側板２の薄肉部２−５とは僅かに隙間を設けている。同様に、第２側板２の内面２−３と第１側板１も僅かに隙間を設けている。この隙間は、薄肉部１−５と端面２−２、及び第２側板２の内面２−３と第１側板１との隙間を生じないようにできるので、ディスプレイケースとしての外観品質の向上となる。
【００５３】
同様に、第１側板１の端面１−２は、第２側板２の薄肉部２−５の内面２−３へ突き合わせられる。次に、組み合わせて四角柱状となった第１側板１、第２側板２は、台座４へ矢印Ｂに示すように台座溝４−１に差し込んで結合される。
【００５４】
第一実施形態と同様に、上蓋３は、四角柱状となった第１側板１、第２側板２の上から矢印Ｃに示すように被せて組み立てられる。したがって、第三実施形態は、上蓋３の上部が第１側板１、第２側板２に対して出ていることになり、組み立て後、上蓋３を手で取り外すことが容易となる。
【００５５】
ディスプレイケースの幅、奥行き、高さ、第１側板１、第２側板２の厚さ、上蓋３の厚さ、台座４の幅、奥行きＤなどは、図３の第一実施形態と同様である。また、第１側板１、第２側板２、上蓋３の材質、台座４の材質も第一実施形態と同様が望ましい。
【符号の説明】
【００５６】
１…第１側板
１−１…突起
１−２…端面
１−３…内面
１−４…段差
１−５…薄肉部
１−６…角部
２…第２側板
２−１…突起
２−２…端面
２−３…内面
２−５…薄肉部
３…上蓋
３−１…溝
４、１０４…台座
４−１、１０４−１…台座溝
１０、１００…カバー
【図１】
0003226085.tif 000003
【図２】
0003226085.tif 000004
【図３】
0003226085.tif 000005
【図４】
0003226085.tif 000006
【図５】
0003226085.tif 000007
【図６】
0003226085.tif 000008
【図７】
0003226085.tif 000009
【図８】
0003226085.tif 000010
【手続補正書】
【提出日】令和2年2月28日(2020.2.28)
【手続補正１】
【補正対象書類名】実用新案登録請求の範囲
【補正対象項目名】全文
【補正方法】変更
【補正の内容】
【実用新案登録請求の範囲】
【請求項１】
台座に透明なカバーを組み立てるディスプレイケースにおいて、
前記カバーの側壁となるＬ字型形状に成形された板状の第１側板及び第２側板と、
前記台座に設けられ、幅が前記第１側板と前記第２側板の厚さに対して、固定及び分解可能としてはめ合うように設定された台座溝と、
四角柱状に組み立てられた前記第１側板と前記第２側板の上に上壁として組み立てられる上蓋と、
を備えたディスプレイケース。
【請求項２】
前記第１側板と前期第２側板とは、同一形状とされたことを特徴とする請求項１に記載のディスプレイケース。
【請求項３】
前記第１側板と前期第２側板は、組み合わせて四角柱状とされたことを特徴とする請求項１又は２に記載のディスプレイケース。
【請求項４】
前記上蓋は、四角柱状に組み立てられた第１側板と第２側板の上から覆うように組み立てられたことを特徴とする請求項１から３のいずれか１項に記載のディスプレイケース。
【請求項５】
前記上蓋の内面に高さ方向の溝が設けられ、前記溝の深さが前記上蓋の全体厚さの１/３、前記上蓋の肉厚と同程度の寸法とされ、
前記第１側板及び前記第２側板は、前記溝と適合するように突起が設けられたことを特徴とする請求項１から４のいずれか１項に記載のディスプレイケース。
【請求項６】
前記突起に代えて、前記第１側板及び前記第２側板の上部に段差が設けられたことを特徴とする請求項５に記載のディスプレイケース。
【請求項７】
前記上蓋は、平坦な板とされたことを特徴とする請求項６に記載のディスプレイケース。
【請求項８】
前記上蓋の厚さは、前記段差より大きくされたことを特徴とする請求項６又は７に記載のディスプレイケース。
【請求項９】
前記第１側板及び前記第２側板の角部に丸味を設けたことを特徴とする請求項６から８のいずれか１項に記載のディスプレイケース。
【請求項１０】
前記第１側板と前記第２側板の端面に、上から見て段違いとなる薄肉部が設けられたことを特徴とする請求項１から８のいずれか１項に記載のディスプレイケース。
【請求項１１】
前記第１側板の内面と前記第２側板の前記薄肉部とは隙間を設けたことを特徴とする請求項１０に記載のディスプレイケース。
【請求項１２】
前記第１側板、前記第２側板、前記上蓋の材質は、スチレンのみの重合体で非晶性の汎用ポリスチレンＧＰＰＳを用いたことを特徴とする請求項１から１１のいずれか１項に記載のディスプレイケース。
【請求項１３】
前記台座の材質は、ＡＢＳ樹脂又はＡＳ樹脂を用いたことを特徴とする請求項１から１２のいずれか１項に記載のディスプレイケース。
【請求項１４】
幅に比べて高さが大きい縦型のディスプレイケースとされたことを特徴とする請求項１から１３のいずれか１項に記載のディスプレイケース。
【請求項１５】
前記第１側板、前記第２側板、前記上蓋は、微小突起群を表面に有する反射防止層を形成した反射防止フィルムが貼り合わせられたことを特徴とする請求項１から１４のいずれか１項に記載のディスプレイケース。
【請求項１６】
組立て後の前記ディスプレイケースの前記透明なカバーの部分の幅は１４０〜１８０ｍｍ、組立て後の前記ディスプレイケースの前記台座と、前記透明なカバーと、前記上蓋とを合わせた高さは２２０〜２８０ｍｍ、前記第１側板、前記第２側板、前記上蓋の前記厚さは２〜３ｍｍとされたことを特徴とする請求項１から１５のいずれか１項に記載のディスプレイケース。
【手続補正２】
【補正対象書類名】明細書
【補正対象項目名】００２３
【補正方法】変更
【補正の内容】
【００２３】
さらに、組立て後の前記ディスプレイケースの前記透明なカバーの部分の幅は１４０〜１８０ｍｍ、組立て後の前記ディスプレイケースの前記台座と、前記透明なカバーと、前記上蓋とを合わせた高さは２２０〜２８０ｍｍ、前記第１側板、前記第２側板、前記上蓋の前記厚さは２〜３ｍｍとされたことが望ましい。